(57)【要約】【課題】  横置きタイプのアキュームレータにおける導入管および導出管の振動による脱落を防止する。【解決手段】  円筒形状でその中心軸が水平となるように横置きされた容器１１と、該容器１１における側面となる一端側に接続された冷媒の導入管１２および導出管１３とを備えてなる横置きタイプのアキュームレータにおいて、前記導入管１２および導出管１３の振動を防ぐ支持板１４，１５を内蔵して、輸送時等において、導入管１２および導出管１３の振動が支持板１４，１５によって防止されるようにしている。【選択図】        図１
2008106964.tif 000002
【特許請求の範囲】
【請求項１】
円筒形状でその中心軸が水平となるように横置きされた容器（１１）と、該容器（１１）における側面となる一端側（１１ａ）に接続された冷媒の導入管（１２）および導出管（１３）とを備えてなる横置きタイプのアキュームレータであって、前記導入管（１２）および導出管（１３）の振動をそれぞれ防ぐ支持板（１４），（１５）を内蔵したことを特徴とするアキュームレータ。
【請求項２】
前記導入管（１２）の冷媒出口（１２ａ）と前記導出管（１３）の冷媒入口（１３ａ）との間には、潜り堰機能を有する邪魔板（１６）を介設したことを特徴とする請求項１記載のアキュームレータ。
【請求項３】
前記支持板（１４），（１５）と前記邪魔板（１６）とを一体構造としたことを特徴とする請求項２記載のアキュームレータ。
【請求項４】
前記邪魔板（１６）を、前記容器（１１）の内周面に内接する略六角形形状としたことを特徴とする請求項２および３のいずれか一項記載のアキュームレータ。
【発明の詳細な説明】
【技術分野】
【０００１】
本願発明は、横置きタイプのアキュームレータに関するものである。
【背景技術】
【０００２】
例えば、冷凍装置としては、図５に示すように、圧縮機１、凝縮器２、減圧機構３、蒸発器４およびアキュームレータ５を冷媒配管６を介して順次接続した冷媒回路を備えたものが従来から良く知られている。このような構造の冷凍装置において、アキュームレータ５として、横置きタイプのものを採用することにより、高さ方向の寸法を小さく抑えるようにしたものが提案されている（特許文献１参照）。
【０００３】
【特許文献１】特開２０００−８８２９２号公報。
【発明の開示】
【発明が解決しようとする課題】
【０００４】
ところが、上記特許文献１に開示されている横置きタイプのアキュームレータの場合、図６に示すように、円筒形状でその中心軸が水平となるように横置きされた容器１１と、該容器１１における側面となる一端側に接続された冷媒の導入管１２および導出管１３とを備えて構成されているが、前記導入管１２および導出管１３の容器１１内における姿勢が不安定となっているため、輸送時等における振動によって導入管１２および導出管１３が折れて脱落するおそれがある。図６において、符号７はアキュームレータ用支持脚、８，９は液面計用配管である。
【０００５】
また、導入管１２から容器１１内に、冷媒が勢いよく流入すると、容器１１内に貯溜されている液冷媒が波立ち、導出管１３の途中（例えば、出口側）に設けられている均圧穴から液冷媒が流出してしまうおそれがある。このように導出管１３からの液冷媒の流出があると、圧縮機１に液冷媒が流入し、その結果、圧縮機１が液圧縮を起こして破壊してしまうおそれがある。
【０００６】
本願発明は、上記の点に鑑みてなされたもので、横置きタイプのアキュームレータにおける導入管および導出管の振動による脱落を防止することを目的とするものである。
【課題を解決するための手段】
【０００７】
本願発明では、上記課題を解決するための第１の手段として、円筒形状でその中心軸が水平となるように横置きされた容器１１と、該容器１１における側面となる一端側に接続された冷媒の導入管１２および導出管１３とを備えてなる横置きタイプのアキュームレータにおいて、前記導入管１２および導出管１３の振動を防ぐ支持板１４，１５を内蔵している。
【０００８】
上記のように構成したことにより、輸送時等において、導入管１２および導出管１３の振動が支持板１４，１５によって防止されることとなる。従って、導出管１２および導出管１３が振動に起因して脱落するということがなくなる。
【０００９】
本願発明では、さらに、上記課題を解決するための第２の手段として、上記第１の手段を備えたアキュームレータにおいて、前記導入管１２の冷媒出口１２ａと前記導出管１３の冷媒入口１３ａとの間に、潜り堰機能を有する邪魔板１６を介設することもでき、そのように構成した場合、導入管１２の冷媒出口１２ａから冷媒が勢いよく流入したとしても、潜り堰機能を有する邪魔板１６の存在により、容器１１内に貯溜された液冷媒の波立ちが抑制されることとなり、導出管１３を介して液冷媒が流出するということがなくなる。その結果、冷凍装置に使用した場合であっても、圧縮機が液圧縮を起こすということがなくなる。
【００１０】
本願発明では、さらに、上記課題を解決するための第３の手段として、上記第２の手段を備えたアキュームレータにおいて、前記支持板１４，１５と前記邪魔板１６とを一体構造とすることもでき、そのように構成した場合、支持板１４，１５と邪魔板１６とを一つの部材で構成することができることとなり、部品点数の低減、構造の簡略化およびコストダウンを図り得る。
【００１１】
本願発明では、さらに、上記課題を解決するための第４の手段として、上記第２又は第３の手段を備えたアキュームレータにおいて、前記邪魔板１６を、前記容器１１の内周面に内接する略六角形形状とすることもでき、そのように構成した場合、潜り堰機能を保有させた状態での容器１１内への邪魔板１６の配設が容易となる。
【発明の効果】
【００１２】
本願発明の第１の手段によれば、円筒形状でその中心軸が水平となるように横置きされた容器１１と、該容器１１における側面となる一端側に接続された冷媒の導入管１２および導出管１３とを備えてなる横置きタイプのアキュームレータにおいて、前記導入管１２および導出管１３の振動を防ぐ支持板１４，１５を内蔵して、輸送時等において、導入管１２および導出管１３の振動が支持板１４，１５によって防止されるようにしたので、導出管１２および導出管１３が振動に起因して脱落するということがなくなるという効果がある。
【００１３】
本願発明の第２の手段におけるように、上記第１の手段を備えたアキュームレータにおいて、前記導入管１２の冷媒出口１２ａと前記導出管１３の冷媒入口１３ａとの間に、潜り堰機能を有する邪魔板１６を介設することもでき、そのように構成した場合、導入管１２の冷媒出口１２ａから冷媒が勢いよく流入したとしても、潜り堰機能を有する邪魔板１６の存在により、容器１１内に貯溜された液冷媒の波立ちが抑制されることとなり、導出管１３を介して液冷媒が流出するということがなくなる。その結果、冷凍装置に使用した場合であっても、圧縮機が液圧縮を起こすということがなくなる。
【００１４】
本願発明の第３の手段におけるように、上記第２の手段を備えたアキュームレータにおいて、前記支持板１４，１５と前記邪魔板１６とを一体構造とすることもでき、そのように構成した場合、支持板１４，１５と邪魔板１６とを一つの部材で構成することができることとなり、部品点数の低減、構造の簡略化およびコストダウンを図り得る。
【００１５】
本願発明の第４の手段におけるように、上記第２又は第３の手段を備えたアキュームレータにおいて、前記邪魔板１６を、前記容器１１の内周面に内接する略六角形形状とすることもでき、そのように構成した場合、潜り堰機能を保有させた状態での容器１１内への邪魔板１６の配設が容易となる。
【発明を実施するための最良の形態】
【００１６】
以下、添付の図面を参照して、本願発明の好適な実施の形態について詳述する。
【００１７】
このアキュームレータ５は、従来技術の項において既に説明したと同様に、図５に示す冷凍装置用冷媒回路において使用されるものである。この冷媒回路は、圧縮機１、凝縮器２、減圧機構３、蒸発器４およびアキュームレータ５を冷媒配管６を介して順次接続して構成されている。
【００１８】
そして、このアキュームレータ５は、図６に示すように、円筒形状でその中心軸が水平となるように横置きされた容器１１と、該容器１１における側面となる一端側１１ａに接続された冷媒の導入管１２および導出管１３とを備えて構成されている。図６において、符号７はアキュームレータ用支持脚、８，９は液面計用配管である。
【００１９】
前記容器１１内には、図１ないし図３に示すように、導入管１２および導出管１３の振動をそれぞれ防ぐ支持板１４，１５を有する邪魔板１６が内蔵されている。該邪魔板１６は、前記導入管１２の冷媒出口１２ａと前記導出管１３の冷媒入口１３ａとの間に位置して配設されている。
【００２０】
この場合、邪魔板１６は、図３および図４に示すように、容器１１の内周面に内接する略六角形形状とされており、その上縁部１６ａの一部を段下げした部分１６ａ1から容器１１の入口側（即ち、導入管１２の接続部位となる一端側１１ａ）に向かって水平に延設された部分は、前記導入管１２を支持する支持板１４とされる一方、その下縁部１６ｂから容器１１の入口側（即ち、導入管１２の接続部位となる一端側１１ａ）に向かって水平に延設された部分は、前記導出管１３のＵ管部１３ｂを支持する支持板１５とされている。符号１０は導出管１３に形成された均圧穴、１７は油戻し穴フィルターである。
【００２１】
上記のように構成したことにより、輸送時等において、導入管１２および導出管１３の振動が支持板１４，１５によってそれぞれ防止されることとなり、導出管１２および導出管１３が振動に起因して脱落するということがなくなる。
【００２２】
また、前記導入管１２の冷媒出口１２ａと前記導出管１３の冷媒入口１３ａとの間に、潜り堰機能を有する邪魔板１５を介設しているので、導入管１２の冷媒出口１２ａから冷媒が勢いよく流入したとしても、潜り堰機能を有する邪魔板１５の存在により、容器１１内に貯溜された液冷媒の波立ちが抑制されることとなり、導出管１３を介して液冷媒が流出するということがなくなる。その結果、冷凍装置に使用した場合であっても、圧縮機が液圧縮を起こすということがなくなる。
【００２３】
しかも、本実施の形態においては、前記支持板１４，１５と前記邪魔板１６とは、一つの部材で一体に構成されているところから、部品点数の低減、構造の簡略化およびコストダウンを図り得る。
【００２４】
さらに、前記邪魔板１６を、前記容器１１の内周面に内接する略六角形形状としているので、邪魔板１６と容器１１の内周面との間に液冷媒が行き来する隙間Ｓ（図３参照）が形成されることとなり、該隙間Ｓの存在により、潜り堰機能を保有させることが可能となる。
【００２５】
本実施の形態では、支持板１４，１５と邪魔板１６とを一体構成としているが、支持板１４，１５と邪魔板１６とを別体構成とすることもできる。
【００２６】
また、本願発明は、上記実施の形態に限定されるものではなく、発明の要旨を逸脱しない範囲において適宜設計変更可能なことは勿論である。
【図面の簡単な説明】
【００２７】
【図１】本願発明の実施の形態にかかるアキュームレータの内部を開示した平面図である。
【図２】本願発明の実施の形態にかかるアキュームレータの内部を開示した側面図である。
【図３】図２のＩＶ−ＩＶ断面図である。
【図４】本願発明の実施の形態にかかるアキュームレータにおける邪魔板の拡大斜視図である。
【図５】一般的な冷凍装置用冷媒回路を示すブロック図である。
【図６】一般的な横置きタイプのアキュームレータを示す斜視図である。
【符号の説明】
【００２８】
１は圧縮機
５はアキュームレータ
１１は容器
１１ａは一端側
１２は導入管
１２ａは冷媒出口
１３は導出管
１３ａは冷媒入口
１４，１５は支持板
１６は邪魔板
【図１】
2008106964.tif 000003
【図２】
2008106964.tif 000004
【図３】
2008106964.tif 000005
【図４】
2008106964.tif 000006
【図５】
2008106964.tif 000007
【図６】
2008106964.tif 000008